【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
回転駆動される感光体と、前記感光体の周囲に近接して配置され前記感光体に作用するプロセス手段と、光照射を行い前記感光体上に静電潜像を形成する光照射手段と、を含む画像形成部を各色に対応して備えるカラー画像形成装置であって、
前記各色に対応した前記プロセス手段に電力を供給する電源手段と、
前記光照射手段が光照射を行うことによって、前記各色の感光体上に形成された色ずれ補正用の静電潜像が前記プロセス手段に対向する位置を通過する際の、前記プロセス手段を介して生じる前記電源手段の出力を各色について検出する検出手段と、
前記検出手段による検出結果に基づき、検出された色ずれ状態が少なくとも基準状態に近づくように色ずれ補正制御を行う制御手段と、を備え、前記色ずれ補正用の静電潜像を形成する際の前記プロセス手段の印加電圧は、画像形成時の静電潜像を形成する際の前記プロセス手段の印加電圧よりも大きい、又は前記色ずれ補正用の静電潜像を形成する際の前記光照射手段の光強度は、画像形成時の静電潜像を形成する際の前記光照射手段の光強度よりも大きいことを特徴とするカラー画像形成装置。
【請求項２】
前記検出手段は、前記電源手段から出力される前記感光体の表面電位に係る出力値が、特定の条件に合致することを測定することを特徴とする請求項１に記載のカラー画像形成装置。
【請求項３】
前記検出手段は、前記光照射手段が前記感光体上に色ずれ補正用の静電潜像を形成したタイミングを基に、前記形成された静電潜像が、前記プロセス手段に到達するまでの時間を検出し、
前記制御手段は、前記検出された時間と基準値との比較に基づき、検出された色ずれ状態が少なくとも基準状態に近づくように色ずれ補正制御を行うことを特徴とする請求項１に記載のカラー画像形成装置。
【請求項４】
前記検出手段により検出された前記時間を基準値として記憶する記憶手段を備えることを特徴とする請求項３に記載のカラー画像形成装置。
【請求項５】
前記制御手段は、前記基準値に対応する前記色ずれ補正用の静電潜像が形成されたときの前記感光体の回転位置と同じ回転位置で、前記光照射手段を発光させ前記感光体上に前記色ずれ補正用の静電潜像を形成することを特徴とする請求項４に記載のカラー画像形成装置。
【請求項６】
前記制御手段は、前記光照射手段により、前記感光体の複数の位置で前記色ずれ補正用の静電潜像を形成させ、
前記記憶手段は、前記各色ずれ補正用の静電潜像に対応して検出された時間に基づき前記制御手段により算出された代表時間を記憶し、
前記検出手段は、前記感光体の複数の位置で前記光照射手段により形成された各色ずれ補正用の静電潜像を検出し、
前記制御手段は、前記代表時間と、前記各色ずれ補正用の静電潜像について検出された時間とに基づき、前記色ずれ補正制御を行うことを特徴とする請求項５に記載のカラー画像形成装置。
【請求項７】
前記画像形成部は、色ずれ補正用のトナー像を被転写体上に形成し、
前記被転写体上に形成された前記色ずれ補正用トナー像を検出するトナー像検出手段を備えることを特徴とする請求項１に記載のカラー画像形成装置。
【請求項８】
前記制御手段は、前記トナー像検出手段による前記色ずれ補正用トナー像の検出結果に基づく色ずれ補正制御を反映させた状態において、前記光照射手段に光照射させることによって前記感光体上に前記色ずれ補正用の静電潜像を形成させることを特徴とする請求項７に記載のカラー画像形成装置。
【請求項９】
前記プロセス手段は、複数種類のプロセス手段で構成され、
前記複数種類のプロセス手段のうち、前記検出手段の検出対象となる第１のプロセス手段よりも前記静電潜像の移動方向において上流側に第２のプロセス手段が配置されており、
前記制御手段は、前記色ずれ補正用の静電潜像が前記第２のプロセス手段に対向する位置を通過する際には、前記第２のプロセス手段をトナー像の形成位置から離隔させるように制御する、或いは前記色ずれ補正用の静電潜像が前記第２のプロセス手段に対向する位置を通過する際には、通常の画像形成時よりも前記第２のプロセス手段からの前記感光体への作用を少なくとも小さくさせるように制御することを特徴とする請求項１乃至８の何れか１項に記載のカラー画像形成装置。
【請求項１０】
前記第１のプロセス手段は帯電手段であり、前記第２のプロセス手段は現像手段及び転写手段であって、
前記制御手段は、前記色ずれ補正用の静電潜像が前記現像手段に対向する位置を通過する際には、前記現像手段をトナー像の形成位置から離隔させるように制御する、或いは前記色ずれ補正用の静電潜像が前記現像手段に対向する位置を通過する際には、通常の画像形成時よりも前記現像手段からの前記感光体への作用を少なくとも小さくさせるように制御し、
前記色ずれ補正用の静電潜像が前記転写手段に対向する位置を通過する際には、前記転写手段をトナー像の形成位置から離隔させるように制御する、或いは前記色ずれ補正用の静電潜像が前記転写手段に対向する位置を通過する際には、通常の画像形成時よりも前記転写手段からの前記感光体への作用を少なくとも小さくさせるように制御することを特徴とする請求項９に記載のカラー画像形成装置。
【請求項１１】
前記検出手段は複数の前記感光体に形成された前記色ずれ補正用の静電潜像を共通して検出可能であって、前記複数の感光体において、前記検出手段が前記色ずれ補正用の静電潜像を検出する検出タイミングは重複していないことを特徴とする請求項１乃至１０の何れか１項に記載のカラー画像形成装置。
【請求項１２】
複数の前記感光体に夫々対応した複数の前記検出手段を備え、
前記複数の検出手段は、夫々対応した感光体に形成された前記色ずれ補正用の静電潜像を独立して検出することを特徴とする請求項１乃至１０の何れか１項に記載のカラー画像形成装置。
【請求項１３】
前記プロセス手段は、前記感光体を帯電する帯電手段、静電潜像をトナー像として現像する現像手段、前記トナー像を被転写体に転写する転写手段、のいずれかであることを特徴とする請求項１乃至１２の何れか１項に記載のカラー画像形成装置。
【請求項１４】
回転駆動される感光体と、光を照射することで前記感光体に静電潜像を形成する光照射手段と、画像を形成するためのプロセス手段と、を備える画像形成装置であって、
前記光照射手段が光を照射することで形成された補正用の静電潜像が前記プロセス手段に対向する位置を通過する際の、前記プロセス手段を介した出力を検出する検出手段と、
前記検出手段からの検出結果に基づき、画像形成時の静電潜像を形成するための条件を補正する制御手段と、を有し、
前記色ずれ補正用の静電潜像を形成する際の前記プロセス手段の印加電圧は、画像形成時の静電潜像を形成する際の前記プロセス手段の印加電圧よりも大きい、又は前記色ずれ補正用の静電潜像を形成する際の前記光照射手段の光強度は、画像形成時の静電潜像を形成する際の前記光照射手段の光強度よりも大きいことを特徴とする画像形成装置。
【請求項１５】
前記制御手段は、前記検出手段により前記補正用の静電潜像が検出された状態が少なくとも基準状態に近づくように、画像形成時の静電潜像を形成するための条件を補正することを特徴とする請求項１４に記載の画像形成装置。
【請求項１６】
前記制御手段は、前記検出手段により前記補正用の静電潜像が検出された状態が基準状態に戻るように、画像形成時の静電潜像を形成するための条件を補正することを特徴とする請求項１４に記載の画像形成装置。
【請求項１７】
補正用のトナー像を検出するトナー像検出手段を有し、
前記制御手段は、前記トナー像検出手段からの検出結果に基づき、画像形成時の静電潜像を形成するための条件を補正することを特徴とする請求項１４乃至１６の何れか１項に記載の画像形成装置。
【請求項１８】
前記プロセス手段に電力を供給する電源手段を有し、
前記検出手段は、前記補正用の静電潜像が前記プロセス手段に対向する位置を通過する際の、前記プロセス手段を介して生じる前記電源手段の出力を検出することを特徴とする請求項１４乃至１７の何れか１項に記載の画像形成装置。
【請求項１９】
前記光照射手段は、補正用の静電潜像を前記感光体の複数の位置に形成し、
前記検出手段は、前記補正用の静電潜像が前記プロセス手段に対向する位置を通過する際の前記出力を、複数の前記補正用の静電潜像の夫々に応じて検出し、
前記制御手段は、前記検出手段からの検出結果に基づき、画像形成時の静電潜像を形成するための条件を補正することを特徴とする請求項１４乃至１８の何れか１項に記載の画像形成装置。
【請求項２０】
前記光照射手段は、第１の補正用の静電潜像を前記感光体の複数の位置に形成し、前記検出手段は、前記複数の位置に形成された前記第１の補正用の静電潜像の夫々に応じた前記出力を検出し、
前記制御手段は、前記第１の補正用の静電潜像の前記検出手段による検出結果を記憶手段に記憶させ、
前記光照射手段は、所定条件下で、第２の補正用の静電潜像を前記感光体の複数の位置に形成し、
前記検出手段は、前記複数の位置に形成された前記第２の補正用の静電潜像の夫々に応じた前記出力を検出し、
前記制御手段は、前記記憶手段に記憶された前記第１の補正用の静電潜像の前記検出手段による検出結果と、前記第２の補正用の静電潜像の前記検出手段による検出結果と、に基づき画像形成時の静電潜像を形成するための条件を補正することを特徴とする請求項１４乃至１８の何れか１項に記載の画像形成装置。
【請求項２１】
前記プロセス手段は、複数種類のプロセス手段で構成され、
前記複数種類のプロセス手段のうち、前記検出手段の検出対象となる第１のプロセス手段よりも前記静電潜像の移動方向において上流側に第２のプロセス手段が配置されており、
前記制御手段は、前記補正用の静電潜像が前記第２のプロセス手段に対向する位置を通過する際には、前記第２のプロセス手段をトナー像の形成位置から離隔させるように制御する、或いは前記補正用の静電潜像が前記第２のプロセス手段に対向する位置を通過する際には、通常の画像形成時よりも前記第２のプロセス手段からの前記感光体への作用を少なくとも小さくさせるように制御することを特徴とする請求項１４乃至２０の何れか１項に記載の画像形成装置。
【請求項２２】
前記感光体を複数有し、
前記検出手段は複数の前記感光体に形成された前記補正用の静電潜像を共通して検出可能であって、前記複数の感光体において、前記検出手段が前記補正用の静電潜像を検出する検出タイミングは重複していないことを特徴とする請求項１４乃至２１の何れか１項に記載の画像形成装置。
【請求項２３】
前記感光体を複数有し、
複数の前記感光体に夫々対応した前記検出手段を複数備え、
複数の前記検出手段は、夫々対応した感光体に形成された前記補正用の静電潜像を独立して検出することを特徴とする請求項１４乃至２１の何れか１項に記載の画像形成装置。
【請求項２４】
前記感光体を複数有し、
前記制御手段は、画像形成時の静電潜像を形成するための条件を補正することによって、複数の前記感光体の間における色ずれを補正することを特徴とする請求項１４乃至２３の何れか１項に記載の画像形成装置。
【請求項２５】
前記制御手段は、画像形成時の静電潜像を形成するための条件の補正として、前記光照射手段による光の照射タイミングを補正する、又は前記光照射手段による光の照射を行う際の前記感光体の速度を補正することを特徴とする請求項１４乃至２４の何れか１項に記載の画像形成装置。
【請求項２６】
前記検出手段は、現像されていない前記補正用の静電潜像を検出することを特徴とする請求項１４乃至２５の何れか１項に記載の画像形成装置。
【請求項２７】
回転駆動される感光体と、前記感光体を帯電する帯電手段と、光を照射することで前記感光体に静電潜像を形成する光照射手段と、を有し、前記感光体に補正用の静電潜像を形成可能な画像形成装置において、
前記感光体上に形成された前記補正用の静電潜像を検出する検出手段と、
前記検出手段からの検出結果に基づき、画像形成時の静電潜像を形成するための条件を補正する制御手段と、を有し、
前記補正用の静電潜像を形成する際の前記帯電手段に印加される電圧の絶対値は、画像形成時の静電潜像を形成する際の前記帯電手段に印加される電圧の絶対値よりも大きい、又は前記補正用の静電潜像を形成する際の前記光照射手段の光強度は、画像形成時の静電潜像を形成する際の前記光照射手段の光強度よりも大きいことを特徴とする画像形成装置。
【請求項２８】
前記静電潜像をトナー像として現像する現像手段と、前記トナー像を被転写体上に転写する転写手段とを有し、
前記光照射手段は前記感光体に補正用の静電潜像を形成可能であり、
前記検出手段は、前記補正用の静電潜像が前記帯電手段に対向する位置を通過する際の前記帯電手段を介して生じる出力を検出、又は前記補正用の静電潜像が前記現像手段に対向する位置を通過するときの前記現像手段を介して生じる出力を検出、又は前記補正用の静電潜像が前記転写手段に対向する位置を通過する際の前記転写手段を介して生じる出力を検出し、
前記制御手段は、前記検出手段からの検出結果に基づき、画像形成時の静電潜像を形成するための条件を補正することを特徴とする請求項２７に記載の画像形成装置。
【請求項２９】
前記制御手段は、前記検出手段により前記補正用の静電潜像が検出された状態が少なくとも基準状態に近づくように、画像形成時の静電潜像を形成するための条件を補正することを特徴とする請求項２７又は２８に記載の画像形成装置。
【請求項３０】
前記制御手段は、前記検出手段により前記補正用の静電潜像が検出された状態が基準状態に戻るように、画像形成時の静電潜像を形成するための条件を補正することを特徴とする請求項２７又は２８に記載の画像形成装置。
【請求項３１】
補正用のトナー像を検出するトナー像検出手段を有し、
前記制御手段は、前記トナー像検出手段からの検出結果に基づき、画像形成時の静電潜像を形成するための条件を補正することを特徴とする請求項２７乃至３０の何れか１項に記載の画像形成装置。
【請求項３２】
前記帯電手段に電力を供給する電源手段を有し、
前記検出手段は、前記補正用の静電潜像が前記帯電手段に対向する位置を通過する際の、前記帯電手段を介して生じる前記電源手段の出力を検出することを特徴とする請求項２８に記載の画像形成装置。
【請求項３３】
前記現像手段に電力を供給する電源手段を有し、
前記検出手段は、前記補正用の静電潜像が前記現像手段に対向する位置を通過する際の、前記現像手段を介して生じる前記電源手段の出力を検出することを特徴とする請求項２８に記載の画像形成装置。
【請求項３４】
前記転写手段に電力を供給する電源手段を有し、
前記検出手段は、前記補正用の静電潜像が前記転写手段に対向する位置を通過する際の、前記転写手段を介して生じる前記電源手段の出力を検出することを特徴とする請求項２８に記載の画像形成装置。
【請求項３５】
前記光照射手段は、補正用の静電潜像を前記感光体の複数の位置に形成し、
前記検出手段は、前記補正用の静電潜像が前記帯電手段に対向する位置を通過する際の前記帯電手段を介して生じる出力、又は前記補正用の静電潜像が前記現像手段に対向する位置を通過する際の前記現像手段を介して生じる出力、又は前記補正用の静電潜像が前記転写手段に対向する位置を通過する際の前記転写手段を介して生じる出力を、複数の前記補正用の静電潜像の夫々に応じて検出し、
前記制御手段は、前記検出手段からの検出結果に基づき、画像形成時の静電潜像を形成するための条件を補正することを特徴とする請求項２８に記載の画像形成装置。
【請求項３６】
前記光照射手段は、第１の補正用の静電潜像を前記感光体の複数の位置に形成し、前記検出手段は、前記複数の位置に形成された前記第１の補正用の静電潜像の夫々に応じた前記出力を検出し、
前記制御手段は、前記第１の補正用の静電潜像の前記検出手段による検出結果を記憶手段に記憶させ、
前記光照射手段は、所定条件下で、第２の補正用の静電潜像を前記感光体の複数の位置に形成し、
前記検出手段は、前記複数の位置に形成された前記第２の補正用の静電潜像の夫々に応じた前記出力を検出し、
前記制御手段は、前記記憶手段に記憶された前記第１の補正用の静電潜像の前記検出手段による検出結果と、前記第２の補正用の静電潜像の前記検出手段による検出結果と、に基づき画像形成時の静電潜像を形成するための条件を補正することを特徴とする請求項２８に記載の画像形成装置。
【請求項３７】
前記検出手段の検出対象となる前記帯電手段よりも前記静電潜像の移動方向において上流側に前記現像手段が配置されており、
前記制御手段は、前記補正用の静電潜像が前記現像手段に対向する位置を通過する際には、前記現像手段をトナー像の形成位置から離隔させるように制御する、或いは前記補正用の静電潜像が前記現像手段に対向する位置を通過する際には、通常の画像形成時よりも前記現像手段からの前記感光体への作用を少なくとも小さくさせるように制御することを特徴とする請求項２８に記載の画像形成装置。
【請求項３８】
前記検出手段の検出対象となる前記転写手段よりも前記静電潜像の移動方向において上流側に前記現像手段が配置されており、
前記制御手段は、前記補正用の静電潜像が前記現像手段に対向する位置を通過する際には、前記現像手段をトナー像の形成位置から離隔させるように制御する、或いは前記補正用の静電潜像が前記現像手段に対向する位置を通過する際には、通常の画像形成時よりも前記現像手段からの前記感光体への作用を少なくとも小さくさせるように制御することを特徴とする請求項２８に記載の画像形成装置。
【請求項３９】
前記感光体を複数有し、
前記検出手段は複数の前記感光体に形成された前記補正用の静電潜像を共通して検出可能であって、前記複数の感光体において、前記検出手段が前記補正用の静電潜像を検出する検出タイミングは重複していないことを特徴とする請求項２７乃至３８の何れか１項に記載の画像形成装置。
【請求項４０】
前記感光体を複数有し、
複数の前記感光体に夫々対応した前記検出手段を複数備え、
複数の前記検出手段は、夫々対応した感光体に形成された前記補正用の静電潜像を独立して検出することを特徴とする請求項２７乃至３８の何れか１項に記載の画像形成装置。
【請求項４１】
前記感光体を複数有し、
前記制御手段は、画像形成時の静電潜像を形成するための条件を補正することによって、複数の前記感光体の間における色ずれを補正することを特徴とする請求項２７乃至４０の何れか１項に記載の画像形成装置。
【請求項４２】
前記制御手段は、画像形成時の静電潜像を形成するための条件の補正として、前記光照射手段による光の照射タイミングを補正する、又は前記光照射手段による光の照射を行う際の前記感光体の速度を補正することを特徴とする請求項２８に記載の画像形成装置。
【手続補正２】
【補正対象書類名】明細書
【補正対象項目名】０００７
【補正方法】変更
【補正の内容】
【０００７】
前述の課題を解決するために、本願発明は以下の構成を備える。
（１）  回転駆動される感光体と、前記感光体の周囲に近接して配置され前記感光体に作用するプロセス手段と、光照射を行い前記感光体上に静電潜像を形成する光照射手段と、を含む画像形成部を各色に対応して備えるカラー画像形成装置であって、前記各色に対応した前記プロセス手段に電力を供給する電源手段と、前記光照射手段が光照射を行うことによって、前記各色の感光体上に形成された色ずれ補正用の静電潜像が前記プロセス手段に対向する位置を通過する際の、前記プロセス手段を介して生じる前記電源手段の出力を各色について検出する検出手段と、前記検出手段による検出結果に基づき、検出された色ずれ状態が少なくとも基準状態に近づくように色ずれ補正制御を行う制御手段と、を備え、前記色ずれ補正用の静電潜像を形成する際の前記プロセス手段の印加電圧は、画像形成時の静電潜像を形成する際の前記プロセス手段の印加電圧よりも大きい、又は前記色ずれ補正用の静電潜像を形成する際の前記光照射手段の光強度は、画像形成時の静電潜像を形成する際の前記光照射手段の光強度よりも大きいことを特徴とするカラー画像形成装置。